(57)【要約】【課題】金属製隔壁を有するプラズマディスプレイパネルについて、アドレス放電の誤放電の発生とアドレス電圧マージンの減少を防止できる駆動方法を提供する。【解決手段】放電セルＣを区画する隔壁１５が、絶縁層１５ｂによって被覆された金属基材１５ａによって構成されているプラズマディスプレイパネルにおいて、リセット放電が行われた後、行電極Ｙに走査パルスＳＰが印加され列電極ＤにデータパルスＤＰ１〜ｎが印加されて、放電発光による画像形成のための維持放電が行われる放電セルＣの選択を行う画像表示期間のアドレス期間Ｗｃに、隔壁１５の金属基材１５ａが接地されて所定の電位に固定される。【選択図】      図１２
2004347767.tif 000002
【特許請求の範囲】
【請求項１】
放電空間を挟んで互いに対向する一対の基板と、複数の行電極対およびこの行電極対と交差するように配列された複数の列電極と、放電空間の行電極対と列電極が交差する部分の近傍に形成される単位発光領域を区画する隔壁とを備え、この隔壁が絶縁層によって被覆された金属製基材によって形成されているプラズマディスプレイパネルの駆動方法であって、
前記行電極対の一方の行電極への走査パルスの印加と列電極へのデータパルスの印加によってアドレス放電が発生されて、画像を形成する発光を行う維持放電のための単位発光領域が選択される画像表示期間のアドレス期間に、前記隔壁の金属製基材の電位を所定の電位に固定することを特徴とするプラズマディスプレイパネルの駆動方法。
【請求項２】
前記アドレス放電が行われる前に全単位発光領域において一斉にリセット放電が発生される画像表示期間のリセット期間に、前記隔壁の金属製基材の電位をフローティング状態にする請求項１に記載のプラズマディスプレイパネルの駆動方法。
【請求項３】
前記アドレス放電によって選択された単位発光領域において画像を形成する発光を行う維持放電が発生される画像表示期間の維持放電期間に、前記隔壁の金属製基材の電位をフローティング状態にする請求項１に記載のプラズマディスプレイパネルの駆動方法。
【請求項４】
前記アドレス放電が、一対の基板の一方の基板側に設けられた行電極対の行電極と他方の基板側に設けられた列電極との間で行われる請求項１に記載のプラズマディスプレイパネルの駆動方法。
【請求項５】
前記アドレス放電が、一対の基板の一方の基板側に設けられた行電極対の行電極と列電極との間で行われる請求項１に記載のプラズマディスプレイパネルの駆動方法。
【発明の詳細な説明】
【０００１】
【発明の属する技術分野】
この発明は、面放電方式交流型のプラズマディスプレイパネルの駆動方法に関する。
【０００２】
【従来の技術】
図１ないし３は、従来の面放電方式交流型プラズマディスプレイパネル（以下、ＰＤＰという）のセル構造を模式的に示しており、図１は、その正面図であり、図２は図１のＶ−Ｖ線における断面図、図３は図１のＷ−Ｗ線における断面図である。
【０００３】
この図１ないし３に示されるＰＤＰは、前面ガラス基板１の背面側に、行方向に延び列方向に並設されてそれぞれ表示ラインＬを形成する複数の行電極対（Ｘ，Ｙ）とこの行電極対（Ｘ，Ｙ）を被覆する誘電体層２およびこの誘電体層２を被覆する保護層３とが設けられている。
【０００４】
背面ガラス基板４の前面ガラス基板１と放電空間Ｓを介して対向する側には、列方向に延び行方向に並設されて行電極対（Ｘ，Ｙ）と交差する位置においてそれぞれ放電空間Ｓに放電セルＣを構成する複数の列電極Ｄが設けられている。
【０００５】
そして、列方向に延びる縦壁５Ａと行方向に延びる横壁５Ｂによって略格子形状に形成された隔壁５が、前面ガラス基板１と背面ガラス基板４との間に配置されて、この前面ガラス基板１と背面ガラス基板４の間の放電空間Ｓが放電セルＣ毎に行方向と列方向に区画されている。
【０００６】
さらに、隔壁５の横壁５Ｂに対向する部分に背面ガラス基板４側に張り出すように形成された嵩上げ誘電体層２Ａが、横壁５Ｂに当接することによって、列方向に隣接する放電セルＣの間が閉じられている。
【０００７】
各放電セルＣ内には、赤（Ｒ），緑（Ｇ），青（Ｂ）に色分けされた蛍光体層６が、列方向に順に並ぶようにそれぞれ形成されている。
【０００８】
上記のＰＤＰにおける画像形成は、リセット期間の後のアドレス期間において、各放電セルＣにおいて行電極対（Ｘ，Ｙ）の一方の行電極（この例では、Ｙ電極）と列電極Ｄとの間で選択的にアドレス放電が行われ、発光セル（誘電体層２に壁電荷が形成された放電セル）と非発光セル（誘電体層２に壁電荷が形成されていない放電セル）とが、表示する画像に対応してパネル面に分布される。
【０００９】
そして、このアドレス期間におけるアドレス放電の後、維持放電期間に、全表示ラインＬにおいて行電極対（Ｘ，Ｙ）の行電極ＸとＹに対して交互に放電維持パルスが印加され、この放電維持パルスが印加される毎に、各発光セル内において行電極ＸとＹの間で維持放電が発生される。
【００１０】
このようにして、発光セル内で発生される維持放電によって、放電空間Ｓ内に充填されている放電ガスから紫外線が発生され、この紫外線によって各放電セルＣ毎に赤（Ｒ），緑（Ｇ），青（Ｂ）に色分けされた蛍光体層６がそれぞれ励起されて発光することにより、表示する画像が形成される。
【００１１】
このＰＤＰにおいて、隔壁５は、行方向および列方向においてそれぞれ隣接する放電セルＣ間で放電の干渉による誤放電が発生するのを防止する機能を有しており、このため、絶縁性を有していることが必要である。
【００１２】
このようなＰＤＰの放電セルＣを区画する隔壁は、従来は、低融点ガラスペーストを塗布して焼成した後、サンドブラスト法によって形成されているが、製造コストが高くなるといった問題を有している。
【００１３】
このため、図４に示されるように、隔壁１５の内部を導電性の金属基材１５ａによって形成し、その表面を絶縁性を有する誘電材料によって形成された誘電体絶縁層１５ｂによって被覆することにより、その絶縁性を確保するとともに、製造コストの低減を図ることが出来るＰＤＰの提案がなされている（例えば、特許文献１参照）。
【００１４】
【特許文献１】
特許２７４１４１８号公報
【００１５】
【発明が解決しようとする課題】
図１ないし３のＰＤＰのように、隔壁５がガラス材等の絶縁物によって形成されている場合には、行電極Ｙと列電極Ｄとの間にアドレス放電のための電圧が印加された際に、これらの電極間に絶縁物しか存在しないので、電界が放電セルＣ内に集中的に発生して、アドレス電圧マージン（Ｖｏｆｓマージン）は、ほぼ安定している。
【００１６】
しかしながら、図４のように、金属製の隔壁１５を備えたＰＤＰにおいては、行電極Ｙと列電極Ｄとの間にアドレス放電のための電圧が印加されると、この導電性を有する隔壁１５と行電極Ｙおよび列電極Ｄ間に電位が発生してしまう。
【００１７】
このため、隔壁１５に電位が発生することによって、アドレス放電が発生される放電セルＣの周辺の放電セルＣにおいても、誤って放電が発生される虞が生じる。
【００１８】
さらに、アドレス放電が発生される放電セルＣの数（選択される放電セルＣの数）や、各種の色を再現するための赤，緑，青の色の組み合わせに基づいて選択される放電セルＣ（蛍光体層６の色）の種類によって、隔壁１５に発生する電位が変化し、このために、アドレス電圧マージン（Ｖｏｆｓマージン）が減少する方向に変化してしまう。
【００１９】
例えば、放電セルＣの選択のために、選択消去法が用いられる場合には、単色を再現する場合には放電セルＣの誘電体層２に形成されている壁電荷の消去は易しく、そのアドレス電圧マージンは比較的広いが、補色を再現する場合には放電セルＣの壁電荷の消去が難しくなって、そのアドレス電圧マージンが狭くなってしまう。
【００２０】
この発明は、上記のような金属製の隔壁を備えた面放電方式交流型プラズマディスプレイパネルにおいて発生する問題点を解決することをその解決課題の一つとしている。
【００２１】
【課題を解決するための手段】
上記目的を達成するために、第１の発明（請求項１に記載の発明）によるプラズマディスプレイパネルの駆動方法は、放電空間を挟んで互いに対向する一対の基板と、複数の行電極対およびこの行電極対と交差するように配列された複数の列電極と、放電空間の行電極対と列電極が交差する部分の近傍に形成される単位発光領域を区画する隔壁とを備え、この隔壁が絶縁層によって被覆された金属製基材によって形成されているプラズマディスプレイパネルの駆動方法であって、前記行電極対の一方の行電極への走査パルスの印加と列電極へのデータパルスの印加によってアドレス放電が発生されて、画像を形成する発光を行う維持放電のための単位発光領域が選択される画像表示期間のアドレス期間に、前記隔壁の金属製基材の電位を所定の電位に固定することを特徴としている。
【００２２】
【発明の実施の形態】
以下、この発明の最も好適と思われる実施の形態について、図面を参照しながら詳細に説明を行う。
【００２３】
図５ないし９は、この発明によって駆動されるプラズマディスプレイパネル（以下、ＰＤＰという）の構成の一例を示すものであって、図５はＰＤＰの行電極対と隔壁との関係を模式的に表す正面図であり、図６は図５のＶ１−Ｖ１線における断面図、図７は図５のＶ２−Ｖ２線における断面図、図８は図５のＷ１−Ｗ１線における断面図、図９は図５のＷ２−Ｗ２線における断面図である。
【００２４】
この図５ないし９において、表示面である前面ガラス基板１０の背面に、複数の行電極対（Ｘ，Ｙ）が、前面ガラス基板１０の行方向（図５の左右方向）に延びるように平行に配列されている。
【００２５】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００２６】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００２７】
この行電極ＸとＹは、前面ガラス基板１０の列方向（図５の上下方向）に交互に配列されており、バス電極ＸｂとＹｂに沿って並列されたそれぞれの透明電極ＸａとＹａが互いに対となる相手の行電極側に延びて、透明電極ＸａとＹａの幅広部の頂辺が、それぞれ所要の幅の放電ギャップｇを介して互いに対向されている。
【００２８】
バス電極Ｘｂ，Ｙｂは、それぞれ表示面側の黒色導電層Ｘｂ１，Ｙｂ１と背面側の主導電層Ｘｂ２，Ｙｂ２の二層構造に形成されている。
【００２９】
前面ガラス基板１０の背面には、列方向において隣接する行電極対（Ｘ，Ｙ）のそれぞれの互いに背中合わせになったバス電極ＸｂとＹｂの間に、このバス電極Ｘｂ，Ｙｂに沿って行方向に延びる黒色の光吸収層（遮光層）２０が形成されており、さらに、行方向に配列される各透明電極Ｘａ，Ｙａのそれぞれの中間位置において各行電極対（Ｘ，Ｙ）のバス電極ＸｂとＹｂの間を列方向に沿って延びる黒色の光吸収層（遮光層）２１が形成されている。
【００３０】
この光吸収層２０は後述する隔壁の横壁に対向され、光吸収層２１は隔壁の縦壁に対向される。
【００３１】
前面ガラス基板１０の背面には、さらに、行電極対（Ｘ，Ｙ）を被覆する誘電体層１１が形成されており、この誘電体層１１の背面には、互いに隣接する行電極対（Ｘ，Ｙ）の隣り合うバス電極Ｘｂ，Ｙｂに対向する位置および隣り合うバス電極Ｘｂとバス電極Ｙｂの間の領域と対向する位置に、誘電体層１１の背面側に突出する嵩上げ誘電体層１１Ａが、バス電極Ｘｂ，Ｙｂに対して平行に延びるように形成されている。
【００３２】
そして、この誘電体層１１と嵩上げ誘電体層１１Ａの背面側には、ＭｇＯからなる保護層１２が形成されている。
【００３３】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００３４】
背面ガラス基板１３の前面ガラス基板１０と対向する側の面上には、さらに、列電極Ｄを被覆する列電極保護層（誘電体層）１４が形成され、この列電極保護層１４上に、互いに平行に配列された各列電極Ｄの間の位置において列方向に延びる縦壁１５Ａと嵩上げ誘電体層１１Ａに対向する位置において行方向に延びる横壁１５Ｂとを有する略格子形状の隔壁１５が形成されている。
【００３５】
この隔壁１５は、略格子形状に形成された導電性の金属基材１５ａの表面が、絶縁性を有する誘電材料によって形成された誘電体絶縁層１５ｂによって被覆された構成になっている。
【００３６】
この格子形状の隔壁１５によって、前面ガラス基板１０と背面ガラス基板１３の間の放電空間Ｓが、各行電極対（Ｘ，Ｙ）において対となった透明電極ＸａとＹａに対向する部分毎に区画されて、それぞれ方形の放電セルＣが形成されている。
【００３７】
隔壁１５の縦壁１５Ａの表示側の面は保護層１２に当接されておらず（図７および８参照）、その間に隙間ｒが形成されているが、横壁１５Ｂの表示側の面が、保護層１２の嵩上げ誘電体層１１Ａを被覆している部分に当接されていて、列方向において隣接する放電セルＣとの間がそれぞれ閉じられている（図６および９参照）。
【００３８】
放電セルＣに面する隔壁１５の縦壁１５Ａおよび横壁１５Ｂの側面と列電極保護層１４の表面には、これらの五つの面を全て覆うように蛍光体層１６が形成されており、この蛍光体層１６の色は、各放電セルＣ毎に赤（Ｒ），緑（Ｇ），青（Ｂ）の三原色が行方向に順に並ぶように配列されている。
【００３９】
そして、前面ガラス基板１０と背面ガラス基板１３の間の放電空間Ｓ内には、放電ガスが封入されている。
【００４０】
図１０は、上記のように構成されたＰＤＰの周縁部の非表示エリア部分を示す平面図であり、図１１はこの図１０のＶ３−Ｖ３線における断面図である。
【００４１】
この図１０および１１に示されるＰＤＰの非表示エリア部分おいて、隔壁１５の横壁１５Ｂの下方に位置する部分の列電極保護層１４との間からスイッチング回路ＳＷに接続された接地線Ｅが引き出されている。
【００４２】
この隔壁１５の接地線Ｅと対向する部分には、金属基材１５ａを被覆する誘電体絶縁層１５ｂが形成されておらず、この部分において金属基材１５ａと接地線Ｅとが、その間に充填された導電性ペースト１５ｃによって電気的に接続されている。
【００４３】
そして、スイッチング回路ＳＷは、その切り替えによって、接地線ＥとＰＤＰに設けられたＧＮＤ端子との接続と切断を行うようになっている。
【００４４】
上記のＰＤＰは、行電極対（Ｘ，Ｙ）がそれぞれマトリクス表示画面の１表示ライン（行）Ｌを構成している。
【００４５】
図１２は、この発明の実施形態の一例におけるＰＤＰの駆動方法を、上記のような構成のＰＤＰに適用した場合の画像形成動作時におけるパルスの印加のタイミングチャートを示している。
【００４６】
次に、この図１２のタイミングチャートを参照しながら、この発明の実施形態におけるＰＤＰの駆動方法について説明を行う。
【００４７】
なお、ＰＤＰの駆動方法には、選択消去アドレス法（リセット期間におけるリセット放電によって全放電セルＣに一斉に壁電荷を形成して書き込みを行った後、アドレス期間におけるアドレス放電によって映像データに対応して放電セルＣの壁電荷を選択的に消去する駆動方法）と、選択書込みアドレス法（リセット期間におけるリセット放電によって全放電セルＣの壁電荷を一斉に消去した後、アドレス期間におけるアドレス放電によって映像データに対応して放電セルＣに壁電荷を選択的に形成する駆動方法）とがあり、以下においては、選択消去アドレス法によるＰＤＰの駆動方法について説明を行うが、選択書込みアドレス法においても、同様の方法によってＰＤＰの駆動を行うことが出来る。
【００４８】
図１２は、１フィールドの表示期間を複数のサブフィールドで構成して階調表示を行う場合の一つのサブフィールドにおける選択消去アドレス法による各パルスの印加のタイミングを示している。
【００４９】
この図１２において、リセット期間Ｒｃに、行電極Ｘ，Ｙにリセット・パルスＲＰｘ，ＲＰｙが印加されて、リセット放電が行われる。
【００５０】
このとき、隔壁１５の金属基材１５ａは、その電位が、接地線ＥとＧＮＤ端子とがスイッチング回路ＳＷによって切断されることによって、フローティング状態にされる。
【００５１】
このリセット期間Ｒｃの後のアドレス期間Ｗｃにおいて、列電極Ｄにデータ・パルスＤＰ１〜ｎが印加されるとともに行電極Ｙに走査パルスＳＰが印加されて、アドレス放電が行われる。
【００５２】
このとき、隔壁１５の金属基材１５ａは、その電位が、接地線ＥとＧＮＤ端子がスイッチング回路ＳＷによって接続されることによって、接地電位に固定される。
【００５３】
このアドレス放電によって、先のリセット放電によって全放電セルＣに形成されていた壁電荷が選択的に消去されることにより、表示する画像に対応して、発光セル（誘電体層１１に壁電荷が形成されている放電セルＣ）と非発光セル（誘電体層１１の壁電荷が消去された放電セルＣ）とがパネル面に分布される。
【００５４】
そして、このアドレス期間の後、維持放電期間Ｉｃにおいて、全表示ラインＬにおいて一斉に、行電極対（Ｘ，Ｙ）に対して交互に放電維持パルスＩＰｘ，ＩＰｙが印加されて、各発光セルにおいて行電極対（Ｘ，Ｙ）ごとに放電ギャップｇを介して透明電極ＸａとＹａとの間で維持放電が行われる。
【００５５】
このとき、隔壁１５の金属基材１５ａは、その電位が、接地線ＥとＧＮＤ端子とがスイッチング回路ＳＷによって再度切断されることにより、フローティング状態にされる。
【００５６】
この維持放電によって、放電空間Ｓ内の放電ガスから紫外線が発生され、この紫外線によって赤，緑，青の三原色に色分けされた各蛍光体層１６がそれぞれ励起されて発光することにより、表示する画像が形成される。
【００５７】
なお、スイッチング回路ＳＷの上記のような切り替えは、図１３に示されるような行電極Ｘ，Ｙへの放電維持パルスの印加を行う行電極ドライバＸＤ，ＹＤ、または、列電極Ｄへのデータ・パルスの印加を行うアドレス・ドライバＡＤのうちの何れかのドライバによる制御によって、または、図示しない専用のドライバによって行われる。
【００５８】
上記ＰＤＰの駆動方法によれば、各サブフィールドにおけるアドレス期間Ｗｃの間、隔壁１５が接地電位に固定されているので、導電物である隔壁１５の金属基材１５ａがアドレス放電によって電位を有するようになる虞はない。
【００５９】
これによって、アドレス放電が発生される放電セルＣの周辺の他の放電セルＣにおいて誤放電が発生するのが防止される。
【００６０】
さらに、隔壁１５が接地電位に固定されていて、アドレス放電が発生される放電セルＣの数（選択される放電セルＣの数）や、各種の色を再現するための赤，緑，青の色の組み合わせによって選択される放電セルＣ（蛍光体層１６の色）の種類などによって変化することがないので、隔壁１５を金属基材１５ａによって構成したことによるアドレス電圧マージン（Ｖｏｆｓマージン）の減少が防止される。
【００６１】
さらに、上記ＰＤＰの駆動方法によれば、各サブフィールドにおけるリセット期間Ｒｃおよび維持放電期間Ｉｃの間、フローティング状態になっている隔壁１５が維持放電によって電位を有するようになるので、それぞれ放電維持パルスＩＰｘ，ＩＰｙが印加された行電極Ｘ，Ｙと隔壁１５との間に生じる電位差が小さくなり、放電維持パルスが印加されている一方の行電極からの放電電流のほとんどが、そのとき放電維持パルスが印加されていない他方の行電極の方向に流れるようになる。
【００６２】
これによって、維持放電において大きな維持電圧マージン（Ｖｓｕｓマージン）が得られるとともに、無効電力の消費が減少されて、高効率なパネル発光が実現される。
【００６３】
上述したＰＤＰの駆動方法は、上記のような前面ガラス基板１側に行電極対（Ｘ，Ｙ）が形成され背面ガラス基板１３側に列電極Ｄが形成されたＰＤＰのみならず、図１４ないし１６に示されるように、行電極対と列電極が前面ガラス基板側に形成されている構成のＰＤＰにおいても、適用することが出来る。
【００６４】
すなわち、この図１４ないし１６のＰＤＰは、前面ガラス基板３０の背面に、複数の行電極対（Ｘ１，Ｙ１）が、前面ガラス基板３０の行方向（図１４の左右方向）に延びるように平行に配列されている。
【００６５】
行電極Ｘ１は、前面ガラス基板３０の行方向に延びる黒色または暗色の金属膜からなるバス電極Ｘ１ａと、Ｔ字形状に形成されたＩＴＯ等の透明導電膜からなる透明電極Ｘ１ｂとを備え、この透明電極Ｘ１ｂがバス電極Ｘ１ａに沿って等間隔に配列されて、それぞれの幅狭の基端部がバス電極Ｘ１ａに接続された構成になっている。
【００６６】
行電極Ｙ１も、同様に、前面ガラス基板３０の行方向に延びる黒色または暗色の金属膜からなるバス電極Ｙ１ａと、Ｔ字形状に形成されたＩＴＯ等の透明導電膜からなる透明電極Ｙ１ｂとを備え、この透明電極Ｙ１ｂがバス電極Ｙ１ａに沿って等間隔に配列されて、それぞれの幅狭の基端部がバス電極Ｙ１ａに接続された構成になっている。
【００６７】
この行電極Ｘ１とＹ１は、前面ガラス基板３０の列方向（図１４の上下方向）に交互に配列されており、バス電極Ｘ１ａとＹ１ａに沿って等間隔に配置されたそれぞれの透明電極Ｘ１ｂとＹ１ｂが、互いに対となる相手の行電極側に延びて、透明電極Ｘ１ｂとＹ１ｂのそれぞれの幅広の頂辺が、所要の間隔の放電ギャップｇ１を介して互いに対向されている。
【００６８】
前面ガラス基板３０の背面側には、さらに、列方向において隣接する行電極対（Ｘ１，Ｙ１）のそれぞれの互いに背中合わせになったバス電極Ｘ１ａとＹ１ａの間に、このバス電極Ｘ１ａ，Ｙ１ａに沿って行方向に帯状に延びる黒色または暗色の光吸収層（遮光層）３１が形成されている。
【００６９】
そして、この行電極対（Ｘ１，Ｙ１）および光吸収層３１は、前面ガラス基板３０の背面側に形成された第１誘電体層３２によって被覆されている。
【００７０】
この第１誘電体層３２の背面側には、列方向に延び行方向に等間隔に並設された複数の列電極Ｄ１が形成されている。
【００７１】
この各列電極Ｄ１は、行電極Ｘ１，Ｙ１のバス電極Ｘ１ａ，Ｙ１ａに沿って行方向に等間隔に並ぶ透明電極Ｘ１ｂ，Ｙ１ｂのそれぞれの中間位置に対向する位置に位置されてバス電極Ｘ１ａ，Ｙ１ａと直交する方向（列方向）に延びる帯状の列電極本体部Ｄ１ａと、この列電極本体部Ｄ１ａの側部から各表示ラインＬ１ごとに行方向に延びるように一体的に形成されて、先端部が、互いに対向して対になっている透明電極Ｘ１ｂとＹ１ｂの間の放電ギャップｇ１の中間位置に対向する位置に位置される帯状の列電極放電部Ｄ１ｂとから構成されている。
【００７２】
そして、この列電極Ｄ１の列電極本体部Ｄ１ａと列電極放電部Ｄ１ｂは、第１誘電体層３２の背面に形成された第２誘電体層３３によって被覆されている。
【００７３】
この第２誘電体層３３の背面側には、互いに隣接する行電極対（Ｘ１，Ｙ１）の背中合わせに位置するバス電極Ｘ１ａとＹ１ａおよびその間に位置する光吸収層３１に対向するそれぞれの位置に、第２誘電体層３３から背面側に突出する嵩上げ誘電体層３３Ａが、バス電極Ｘ１ａ，Ｙ１ａに沿って行方向に帯状に延びるように形成されている。
【００７４】
そして、この第２誘電体層３３と嵩上げ誘電体層３３Ａの背面側には、ＭｇＯからなる図示しない保護層が形成されている。
【００７５】
この前面ガラス基板３０には、その背面側に、背面ガラス基板３４が放電空間を介して平行に対向されている。
【００７６】
この背面ガラス基板３４の前面ガラス基板３０と対向する表示側の面上には、第３誘電体層３５が形成されている。
【００７７】
そして、この第３誘電体層３５上に、金属製の基材３６ａの全表面が絶縁層３６ｂによって被覆されることによって構成された隔壁３６が形成されている。
【００７８】
この隔壁３６は、前面ガラス基板３０側の列電極本体部Ｄ１ａと対向する位置においてそれぞれ列方向に延びるように形成された帯状の縦壁３６Ａと、互いに隣接する行電極対（Ｘ１，Ｙ１）の背中合わせに位置するバス電極Ｘ１ａとＹ１ａおよびその間に位置する光吸収層３１に対向する位置においてそれぞれ行方向に延びるように形成された帯状の横壁３６Ｂとによって、略格子形状に成形されている。
【００７９】
そして、この隔壁３６によって、前面ガラス基板３０と背面ガラス基板３４の間の放電空間が、各行電極対（Ｘ１，Ｙ１）において対になっている透明電極Ｘ１ｂとＹ１ｂおよび列電極放電部Ｄ１ｂに対向する部分毎に区画されて、それぞれ方形の放電セルＣ１が形成されている。
【００８０】
この放電セルＣ１に面する隔壁３６の縦壁３６Ａおよび横壁３６Ｂの側面と背面ガラス基板３４の表面には、これらの五つの面を全て覆うように蛍光体層３７が形成されており、この蛍光体層３７の色は、各放電セルＣ１毎に赤（Ｒ），緑（Ｇ），青（Ｂ）の三原色が行方向に順に並ぶように配列されている。
【００８１】
そして、前面ガラス基板３０と背面ガラス基板３４の間の放電空間内には、キセノンＸｅを含む放電ガスが封入されている。
【００８２】
上記構成のＰＤＰに、前述したこの発明によるＰＤＰの駆動方法が適用されて、行電極Ｙ１の透明電極Ｙ１ｂと列電極Ｄ１の列電極放電部Ｄ１ｂとの間でアドレス放電が行われる際に、隔壁３６の金属基材３６ａが、図示しない接地線を介して接地されて、隔壁３６の電位が、接地電位に固定される。
【００８３】
そして、行電極Ｘ１とＹ１の間でリセット放電および維持放電が行われる際には、隔壁３６の金属基材３６ａが接地から切断されて、フローティング状態にされる。
【００８４】
上記の各例では、アドレス期間中にパネル全面で隔壁３６を接地電位に固定する構成を示したが、これに限らず、アドレス期間中にパネル全面で隔壁３６を所定の直流電位等の所定電位に固定するように構成しても良い。
【００８５】
上記各例におけるＰＤＰの駆動方法は、放電空間を挟んで互いに対向する一対の基板と、複数の行電極対およびこの行電極対と交差するように配列された複数の列電極と、放電空間の行電極対と列電極が交差する部分の近傍に形成される単位発光領域を区画する隔壁とを備え、この隔壁が絶縁層によって被覆された金属製基材によって形成されているプラズマディスプレイパネルの駆動方法であって、前記行電極対の一方の行電極への走査パルスの印加と列電極へのデータパルスの印加によってアドレス放電が発生されて、画像を形成する発光を行う維持放電のための単位発光領域が選択される画像表示期間のアドレス期間に、前記隔壁の金属製基材の電位を所定の電位に固定するＰＤＰの駆動方法の実施形態を、その上位概念の実施形態としている。
【００８６】
この上位概念を構成する実施形態のＰＤＰの駆動方法は、一対の基板の間の放電空間に形成される単位発光領域を区画する隔壁が、絶縁層によって被覆された金属製基材によって構成されているプラズマディスプレイパネルにおいて、リセット放電が行われた後、行電極対の一方の行電極に走査パルスが印加され列電極にデータパルスが印加されて、放電発光による画像形成のための維持放電が行われる単位発光領域の選択を行う画像表示期間のアドレス期間に、隔壁の金属製基材が接地されて、この隔壁の電位が所定の電位に固定される。
【００８７】
このＰＤＰの駆動方法によれば、画像表示期間のアドレス期間の間、隔壁が所定電位に固定されるため、パネル全面で隔壁の電位が同電位となり、アドレス放電が発生される単位発光領域の周辺の他の単位発光領域において誤放電が発生するのが防止される。
【００８８】
さらに、隔壁が所定の電位に固定されていて、アドレス放電が発生される単位発光領域の数（選択される単位発光領域の数）や、各種の色を再現するための赤，緑，青の色の組み合わせによって選択される単位発光領域の種類などによって変化することがないので、隔壁を金属製基材によって構成したことによってアドレス電圧マージンが減少するのが防止される。
【図面の簡単な説明】
【図１】従来のプラズマディスプレイパネルの構成を示す正面図である。
【図２】図１のＶ−Ｖ線における断面図である。
【図３】図１のＷ−Ｗ線における断面図である。
【図４】従来の金属製隔壁を備えたプラズマディスプレイパネルの構成を示す正面図である。
【図５】この発明による駆動方法が適用されるプラズマディスプレイパネルの構成の一例を示す正面図である。
【図６】図５のＶ１−Ｖ１線における断面図である。
【図７】図５のＶ２−Ｖ２線における断面図である。
【図８】図５のＷ１−Ｗ１線における断面図である。
【図９】図５のＷ２−Ｗ２線における断面図である。
【図１０】同例における隔壁と接地線との接続部分の構成を示す正面図である。
【図１１】図１０のＶ３−Ｖ３線における断面図である。
【図１２】同例における隔壁への電位の印加のタイミングを示すタイムチャートである。
【図１３】同例における電位印加のためのドライバ構成を示すブロック図である。
【図１４】この発明による駆動方法が適用されるプラズマディスプレイパネルの構成の他の例を示す正面図である。
【図１５】図１４のＶ４−Ｖ４線における断面図である。
【図１６】図１４のＷ３−Ｗ３線における断面図である。
【符号の説明】
１０，３０            …前面ガラス基板（基板）
１３，３４            …背面ガラス基板（基板）
１５，３６            …隔壁
１５ａ，３６ａ        …金属基材
１５ｂ，３６ｂ        …誘電体絶縁層
１５ｃ                …導電性ペースト
１５Ａ，３６Ａ        …縦壁
１５Ｂ，３６Ｂ        …横壁
１６，３７            …蛍光体層
Ｘ，Ｘ１，Ｙ，Ｙ１    …行電極
Ｄ，Ｄ１              …列電極
Ｅ                    …接地線
Ｓ                    …放電空間
Ｃ，Ｃ１              …放電セル（単位発光領域）
ＳＷ                  …スイッチング回路
【図１】
2004347767.tif 000003
【図２】
2004347767.tif 000004
【図３】
2004347767.tif 000005
【図４】
2004347767.tif 000006
【図５】
2004347767.tif 000007
【図６】
2004347767.tif 000008
【図７】
2004347767.tif 000009
【図８】
2004347767.tif 000010
【図９】
2004347767.tif 000011
【図１０】
2004347767.tif 000012
【図１１】
2004347767.tif 000013
【図１２】
2004347767.tif 000014
【図１３】
2004347767.tif 000015
【図１４】
2004347767.tif 000016
【図１５】
2004347767.tif 000017
【図１６】
2004347767.tif 000018